(57)【特許請求の範囲】
【請求項１】
液透過性のトップシート、液不透過性のバックシート及び両シート間に介在された液体保持性の吸収体とを具備し、レッグ部弾性部材が配された長方形状のおむつ本体と、胴部弾性部材が配された細帯状の弾性部材付設シートとからなり、
上記弾性部材付設シートは、少なくとも該おむつ本体の背側部を構成する上方部に、その両側方部がそれぞれ上記おむつ本体の左右両側縁から外方に延出するように配されており、
上記レッグ部弾性部材は、上記おむつ本体の長手方向に沿って設けられた一対の第１レッグ部弾性部材と、一対の該第１レッグ部弾性部材よりも該おむつ本体の幅方向内方に設けられた一対の第２レッグ部弾性部材とからなり、該第２レッグ部弾性部材は、その両端部よりも中央部がおむつ本体の幅方向内方に変位されており、
上記おむつ本体の左右両側縁側のトップシート上には、それぞれ、一側縁に弾性部材が配された細帯状の防漏シートを、該一側縁がおむつ本体の内方に位置し且つ自由縁となるように他側縁をおむつ本体の側縁部に固定して、該一側縁が該トップシートの上方に向けて起立するようになされた立体ガードが形成されており、
上記立体ガードの上記一側縁は、上記おむつ本体の股下部の中央部において上記第１レッグ部弾性部材と上記第２レッグ部弾性部材との間に位置するようになされている、
ことを特徴とする使い捨ておむつ。
【請求項２】
上記第１レッグ部弾性部材は、全長に亘って、上記おむつ本体の左右両側縁部における上記吸収体が存在しない箇所に配されており、
上記第１レッグ部弾性部材及び上記第２レッグ部弾性部材は、それらの両端部の位置が、一対の上記弾性部材付設シートそれぞれのおむつ股下部側の端縁の位置と略一致している、請求項１記載の使い捨ておむつ。
【発明の詳細な説明】
【０００１】
【発明の属する技術分野】
本発明は、脚周りの開放感が良好で、装着感及びフィット性に優れ、更には漏れ防止性にも優れた使い捨ておむつに関する。
【０００２】
【従来の技術及び発明が解決しようとする課題】
従来より、液透過性のトップシートと、液不透過性のバックシートと、両シート間に介在された液体保持性の吸収体とを具備してなり、腹側部の左右両側縁部と背側部の左右両側縁部とを接合して左右一対の接合部が形成されており、ウエスト部及びレッグ部に、それぞれ、ウエスト部弾性部材及びレッグ部弾性部材が配されており、該ウエスト部に実質的に使い捨ておむつの胴周囲方向に連続したウエスト部ギャザーが形成されている、使い捨ておむつは、広く用いられている。
【０００３】
しかし、従来の使い捨ておむつは、ウエスト部及びレッグ部のフィット性を高めて、漏れ防止性能を向上させるなどのために、おむつを展開した状態における長手方向中央部（股下部）の幅よりも長手方向両端部（腹側部及び背側部）の幅の方が広くなるように、股下部を湾曲させた形状となされていた。このため、従来のパンツ型使い捨ておむつにおいては、下記するような問題があった。
即ち、脚周り部分が着用者の脚及び脚の付け根を必要以上に覆っているため、暑苦しく、装着感が悪い。また、製造時において部材を特殊な形状にカットする必要があるため、生産工程が複雑化し、生産性に劣り、またコストも高い。
このような問題は、特に、夏場や暑い地方において顕著な問題である。
【０００４】
要するに、従来の使い捨ておむつは、漏れ防止性と脚周りの開放感との両方に優れたものではなく、脚周りの開放感に優れ、装着感が良く、しかも漏れ防止性にも優れた使い捨ておむつの開発が要望されている。
【０００５】
従って、本発明の目的は、脚周りの開放感が良好で、装着感に優れ、更には漏れ防止性にも優れた使い捨ておむつを提供することにある。
【０００６】
【課題を解決するための手段】
本発明者らは、上記課題を解決するために鋭意検討した結果、おむつを長方形状のおむつ本体と細帯状の弾性部材付設シートにより形成し、また、おむつ本体の左右両側縁部に立体ギャザーを設けてなる使い捨ておむつが、上記目的を達成しうることを知見した。
【０００７】
本発明は、上記知見に基づいてなされたもので、液透過性のトップシート、液不透過性のバックシート及び両シート間に介在された液体保持性の吸収体とを具備し、レッグ部弾性部材が配された長方形状のおむつ本体と、胴部弾性部材が配された細帯状の弾性部材付設シートとからなり、上記弾性部材付設シートは、少なくとも該おむつ本体の背側部を構成する上方部に、その両側方部がそれぞれ上記おむつ本体の左右両側縁から外方に延出するように配されており、上記レッグ部弾性部材は、上記おむつ本体の長手方向に沿って設けられた一対の第１レッグ部弾性部材と、一対の該第１レッグ部弾性部材よりも該おむつ本体の幅方向内方に設けられた一対の第２レッグ部弾性部材とからなり、該第２レッグ部弾性部材は、その両端部よりも中央部がおむつ本体の幅方向内方に変位されており、上記おむつ本体の左右両側縁側のトップシート上には、それぞれ、一側縁に弾性部材が配された細帯状の防漏シートを、該一側縁がおむつ本体の内方に位置し且つ自由縁となるように他側縁をおむつ本体の側縁部に固定して、該一側縁が該トップシートの上方に向けて起立するようになされた立体ガードが形成されており、上記立体ガードの上記一側縁は、上記おむつ本体の股下部の中央部において上記第１レッグ部弾性部材と上記第２レッグ部弾性部材との間に位置するようになされている使い捨ておむつを提供するものである。
【０００８】
【発明の実施の態様】
以下、図面を参照して本発明を更に詳細に説明する。
ここで、図１は、本発明の使い捨ておむつの１形態を示す斜視図であり、図２は、図１に示す使い捨ておむつの展開図であり、図３は、図２のIII-III 拡大断面図であり、図４は、図２のIV-IV 拡大断面図である。
また、図５は、図１に示す使い捨ておむつの使用状態を示す概要図である。
【０００９】
本形態の使い捨ておむつ１は、図１及び２に示すように、液透過性のトップシート２と、液不透過性のバックシート３と、両シート間に介在された液体保持性の吸収体４とを具備してなる。
そして、本形態の使い捨ておむつ１は、腹側部Ａの左右両側縁部と背側部Ｂの左右両側縁部とを接合して左右一対の接合部８が形成されたパンツ型の使い捨ておむつである。
【００１０】
本形態において用いられる上記トップシート２、上記バックシート３、及び上記吸収体４については、いずれも、従来これらの形成材料として用いられるものを特に制限なく用いて形成することができる。
また、上記「胴部」とは、ウエスト回り（ウエスト開口周辺）及び胴回りに位置する部分である。
【００１１】
而して、本形態の使い捨ておむつ１は、図１及び２に示すように、上記トップシート２、上記バックシート３及び上記吸収体４を具備し、レッグ部弾性部材６１が配された長方形状のおむつ本体１０と、胴部弾性部材５１が配された細帯状の弾性部材付設シート７とからなり、上記弾性部材付設シート７は、該おむつ本体１０の背側部Ｂを構成する上方部Ｂ’に、その両側方部７０ａ’、７０ｂ’が上記おむつ本体１０の左右両側縁１０ａ，１０ｂから外方に延出するように配されており、上記おむつ本体１０の長手方向に沿って設けられた一対の第１レッグ部弾性部材６２と、一対の該第１レッグ部弾性部材６２よりも該おむつ本体１０の幅方向内方に設けられた一対の第２レッグ部弾性部材６３とからなるレッグ部弾性部材６１を具備し、該第２レッグ部弾性部材６３は、その両端部６３ａ、６３ａよりも中央部６３ｂがおむつ本体１０の幅方向内方に変位されており、上記おむつ本体１０の左右両側縁側のトップシート２上には、それぞれ、一側縁２２ａに弾性部材２３が配された細帯状の防漏シート２２を、該一側縁２２ａがおむつ本体１０の内方に位置し且つ自由縁となるように他側縁２２ｂをおむつ本体１０の側縁側に固定して、該一側縁２２ａが該トップシート２の上方に向けて起立するようになされた立体ガード２１が形成されている。
【００１２】
更に詳述すると、上記接合部８は、図１及び図２に示すように、上記腹側部Ａの上記弾性部材付設シート７の両側縁部７ａ、７ｂと、上記背側部Ｂの上記弾性部材付設シート７の両側縁部７ａ’、７ｂ’とを、それぞれ接合させて形成されている。
【００１３】
図２に示すように、上記おむつ本体１０の外周形を構成している上記トップシート２及び上記バックシート３は、それぞれ、ほぼ同形状であり、上記吸収体４は、上記トップシート２及び上記バックシート３よりもやや小さい長方形状であり、両シートに接着剤を介して接着されている。
また、上記弾性部材付設シート７は、腹側部Ａを構成する下方部Ａ’にも、その両側方部７０ａ，７０ｂがそれぞれおむつ本体１０の側縁１０ａ，１０ｂから外方に延出するように配されている。
上記弾性部材付設シート７は、幅広のシートをその幅方向中心線において２つ折りに折り畳んだ２層構造となされており、全体として細帯状となされている。また、該弾性部材付設シート７は、その端縁が上記おむつ本体の端縁に沿うように、上記トップシート２及び上記バックシート３により挟持固定されている（図３参照）
上記弾性部材付設シート７の幅Ｗ1 は、上記おむつ本体１０の長さＬ1 に対して、該おむつ本体１０の長さＬ1 を１００とした場合に５〜２５とするのが好ましい。また、おむつ本体１０の長さＬ1 は３５０〜５００mmとするのが好ましく、上記弾性部材付設シート７の幅Ｗ1 は、３０〜１００mmとするのが好ましい。尚、上記弾性部材付設シート７の幅Ｗ1 は、上記胴部５の巾にほぼ等しい。
尚、本発明の使い捨ておむつを大人用として用いる場合には、上記長さＬ1 は最大１０００mm迄とすることができ、また上記幅Ｗ1 は最大２００mmとすることができる。
上記弾性部材付設シート７の延出長さＬ2 は、上記おむつ本体１０の幅Ｗ2 に対して、該おむつ本体１０の幅Ｗ2 を１００とした場合に３０〜２００とするのが好ましい。また、上記弾性部材付設シート７の延出長さＬ2 は、３５〜１００mmとするのが好ましく、上記おむつ本体１０の幅Ｗ2 は、３０〜１００mmとするのが好ましい。
【００１４】
また、上記胴部弾性部材５１は、図２及び３に示すように、２層の弾性部材付設シート間において接着剤を介して接着されており、上記弾性部材付設シート７の幅方向全域に亘ってほぼ等間隔に６本設けられている。
各上記胴部弾性部材５１間の間隔Ｄ1 は、３〜２０mmとするのが好ましい。
【００１５】
上記第１レッグ部弾性部材６２は、図４に示すように、上記おむつ本体１０の左右両側縁部における吸収体Ａが存在しない箇所において、該おむつ本体１０の長手方向に沿って２本づつ配されており、上記トップシート２と上記バックシート３とにより挟持固定されている。
また、上記第２レッグ部弾性部材６３は、図２に示すように、おむつの股下部Ｃの中央に位置する中央部６３ｂが折曲点となるように、中央部６３ｂで折曲された折線状に３本づつ配されている。また、該第２レッグ部弾性部材６３は、上記バックシート３と上記吸収体４との間に位置するように配されている。
そして、上記第１レッグ部弾性部材６２と上記第２レッグ部弾性部材６３とにより、３角形状が形成されるようになされている。また、上記第１レッグ部弾性部材６２と上記第２レッグ部弾性部材６３との間には、吸収体４が存在するようになされている。
また、該第１レッグ部弾性部材６２及び第２レッグ部弾性部材６３は、図２に示すように、いずれも、それらの両端部が、上記弾性部材付設シート７に重ならないか又は重なってもそれらの端部が少し重なる程度となるように配されている。即ち、上記第１及び第２レッグ部弾性部材６２、６３は、該第１及び第２レッグ部弾性部材６２、６３により、上記弾性部材付設シート７におむつの長手方向への弾性力が加わってギャザーが形成されることのないように配するのが、フィット性や装着感の点から好ましい。
【００１６】
上記第１レッグ部弾性部材６２と上記第２レッグ部弾性部材６３との股下部Ｃの中央部における間隔Ｄ2 （図４参照）は、５〜１５０mmとするのが好ましい。また、股下部Ｃの中央部における各第２レッグ部弾性部材６２、６３間の間隔Ｄ3 （図２参照）は、−１５０〜１５０mmとするのが好ましい。（尚、−は、各第２レッグ部弾性部材６３、６３が交差する場合である）
【００１７】
また、上記接合部８は、各弾性部材付設シート７の上記トップシート２側同士が当接するように、側縁部７ａ’，７ｂ’と側縁部７ａ，７ｂとを接合して形成されている。そして、このように接合されることにより、腹側部Ａ側の胴部５のギャザーと背側部Ｂ側の胴部５のギャザーとが連結されて、実質的に連続したギャザーが胴部５に形成される。
【００１８】
ここで、上記弾性部材付設シート７としては、下記する形成材料からなるシートなどを好ましく挙げることができる。
不織布、フィルム、布などが用いられ、特に、通気性、肌触りの点で不織布が好ましい。
【００１９】
また、上記胴部弾性部材５１並びに第１及び２レッグ部弾性部材６２、６３としては、通常使い捨ておむつに用いられているものであれば特に制限なく用いることができるが、上記胴部弾性部材５１の太さは、０．１〜０．５mmとするのが好ましく、上記第１レッグ部弾性部材６２の太さは、０．１〜０．５mmとするのが好ましく、上記第２レッグ部弾性部材６３の太さは、０．１〜０．５mmとするのが好ましい。更に、上記胴部弾性部材５１の弾性率は、１．０〜５．０×１０6 Paとするのが好ましく、上記第１レッグ部弾性部材６２の弾性率は、１．０〜５．０×１０6 Paとするのが好ましく、上記第２レッグ部弾性部材６３の弾性率は、１．０〜５．０×１０6 Paとするのが好ましい。
尚、上記弾性率は、下記の如くして測定されるものである。
弾性率は、「レオメーターＤＭＳ２００」（セイコーインストルメンツ社製）を用いて常法に準じて測定。
各第１及び第２レッグ部弾性部材の伸張率は、２０〜３００％とするのが好ましい。
【００２０】
上記立体ガード２１は、図２及び図４に示すように、細帯状の防漏シート２２を、おむつ本体１０の左右両側縁部において、トップシート２上に配して形成されている。該防漏シート２２は、他側縁２２ｂがおむつ本体１０の側縁側において接着剤を介して固定されており、一側縁２２ａは固定されておたず自由縁となされている。また、該一側縁２２ａには、弾性部材２３が配されており、該弾性部材２３の収縮により、該立体ガード２１は、上方に向けて起立するようになされている。
【００２１】
また、上記立体ガード２１において自由縁となされている上記一側縁２２ａは、上記おむつ本体１０の股下部Ｃの中央部において上記第１レッグ部弾性部材６２と上記第２レッグ部弾性部材６３との間に位置するようになされている。
また、この際、図４に示すように、上記おむつ本体１０の股下部Ｃの中央部における上記一側縁２２ａから上記第１レッグ部弾性部材６２までの距離Ｄ4 は、１０〜７０mmとするのが好ましい。
【００２２】
上記防漏シート及び上記弾性部材としては、通常使い捨て使い捨ておむつの立体ガードとして用いられるものを特に制限なく用いることができる。
【００２３】
本形態の使い捨ておむつ１は、通常公知の使い捨ておむつと同様にして使用することができる。
具体的には、図５に示すように、従来の使い捨ておむつと同様にして装着して用いることができる。そして、本形態の使い捨ておむつ１は、上述の構成を具備しているため、脚周りＲの開放感に優れている。また、上記第１及び第２レッグ部弾性部材６２、６３を有しているため、脚周りＲの開放感に優れた構成としても、フィット性を損なうことがない。更に、上記立体ギャザーを有しているため、漏れ防止性に優れたものである。
【００２４】
更に、本形態の使い捨ておむつ１は、図５に示すように、使用者において、股下部Ｃに３つ、腹側部Ａ及び背側部Ｂにおける着用者の下腹部に位置する部位にそれぞれ１つづつ、使い捨ておむつのおむつ本体１０が外方に凸状に起伏してなるポケット部９ａ、９ｂ、９ｃが形成される。即ち、本形態の使い捨ておむつ１は、上記第１及び第２レッグ部弾性部材６２、６３と上記胴部弾性部材５１とにより、腹側部Ａ及び背側部Ｂにおける着用者の下腹部に位置する部位にそれぞれ１つづつポケット部９ａが形成されるようになされており、また、上記第１及び第２レッグ部弾性部材６２、６３により、着用時に着用者の股下に位置する股下部Ｃにポケット部９ｂ、９ｃが形成されるようになされている。そして、該ポケット部９ａ、９ｂ、9 ｃがあることにより、更に漏れ防止性が向上されている。
そして、従来の立体ギャザーを有する使い捨ておむつにおいては立体ギャザーが装着時にトップシート側に押されてしまい立体ギャザーとしての機能を果たさなかったが、図６に示すように、本形態の使い捨ておむつ１は、上記股下に位置するポケット部９ｃの内部において、上記立体ギャザー２１における自由縁（一側縁２２ａ）が第１レッグ部弾性部材６２と第２レッグ部弾性部材６３との間に位置するため、立体ギャザー２１が起立して、該自由縁が着用者の肌に良好に当接して、立体ギャザーとしての機能を十分に果たすため、より漏れ防止性能が向上されている。
【００２５】
このように、本形態の使い捨ておむつ１は、上述の構成を具備することにより、漏れ防止性を向上させると脚周りの開放感が低下して装着感が悪化していた従来の使い捨ておむつに比して、脚周りの開放感を良好なものとして装着感を向上させ、且つ従来の使い捨ておむつに比して同等以上のフィット性及び漏れ防止性を発揮するものである。
【００２６】
本形態の使い捨ておむつ１は、好ましくは、下記の如くして製造することができる。
即ち、上記トップシート２上に上記第１及び第２レッグ部弾性部材６２、６３を配した後、上記吸収体４を載置し、また、別に上記胴部弾性部材５１を配して形成した上記弾性部材付設シート７を上記トップシート２上に配し、更に該吸収体及び該弾性部材付設シート７を覆うように上記バックシート３を配して弾性部材付設シート７が配されたおむつ本体１０を形成する。次いで、一側縁２２ａに弾性部材２３が配された上記防漏シート２２をおむつ本体１０の左右両側縁部に配して立体ガードを形成し、上記弾性部材付設シート７における上記おむつ本体１０から延出されている部分をそれぞれヒートシールなどにより接合して、本形態の使い捨ておむつを得ることができる。
【００２７】
尚、本発明の使い捨ておむつは、上述の形態に制限されるものではなく、本発明の趣旨を逸脱しない範囲で種々変更可能である。
例えば、上記第２レッグ部弾性部材６３は、トップシート２と吸収体４との間に位置するように配してもよい。
また、上述の形態では、パンツ型の使い捨ておむつを例示して説明したが、使い捨ておむつ止着用のファスニングテープを有するいわゆる展開型の使い捨ておむつにも適用できる。
また、上述の形態では、第１レッグ部弾性部材と第２レッグ部弾性部材との間に吸収体が存在するものを例示して説明したが、吸収体は存在しないようにすることもできる。
【００２８】
【発明の効果】
本発明の使い捨ておむつは、脚周りの開放感が良好で、装着感に優れ、更には漏れ防止性にも優れたものである。
【図面の簡単な説明】
【図１】図１は、本発明の使い捨ておむつの１形態を示す斜視図である。
【図２】図２は、図１に示す使い捨ておむつの展開図である。
【図３】図３は、図２のIII -III拡大断面図である。
【図４】図４は、図２のIV-IV 拡大断面図である。
【図５】図５は、本発明の使い捨ておむつの使用状態を示す概要図である。
【図６】図６は、図５のVI部内部拡大図である。
【符号の説明】
１  使い捨ておむつ
２  トップシート
３  バックシート
４  吸収体
５  胴部
６  レッグ部
７  弾性部材付設シート
７０ａ、７０ｂ、７０ａ’、７０ｂ’  側方部
８  接合部
１０  おむつ本体
１０ａ、１０ｂ  側縁
２１  立体ガード
２２  防漏シート
２２ａ一側縁
２２ｂ他側縁
２３  弾性部材
５１  胴部弾性部材
６１  レッグ部弾性部材
６２  第１レッグ部弾性部材
６３  第２レッグ部弾性部材
Ａ  腹側部
Ｂ  背側部
Ｃ  股下部
【図１】
0003926014.tif 000002
【図２】
0003926014.tif 000003
【図３】
0003926014.tif 000004
【図４】
0003926014.tif 000005
【図５】
0003926014.tif 000006
【図６】
0003926014.tif 000007